(57)【要約】【課題】パネルの表示品位を損なうことなく消費電力を削減することができる、自発光型表示素子を用いた表示装置を提供することである。【解決手段】自発光型表示素子を用いた表示装置１は、撮影レンズ１１と、絞り手段１２と、絞り制御手段２６-1と、撮像素子１５と、撮像部１６と、自発光型表示素子２８と、表示素子制御部２０とを備える。絞り手段１２は撮影レンズに対して配設される。絞り制御手段２６-1は絞り手段の絞り値を制御する。撮像部１６は上記撮影レンズにより結像された被写体像を受けて光電変換する。自発光型表示素子２８は画像データにより表される画像を表示するための、マトリクス状に配置された表示画素を備える。表示素子制御部２０は上記絞り値が所定値以下のとき、上記画像の主要部を除く領域を表示する上記表示画素の消費電力が、通常表示の場合に比べて低くなるように制御する。【選択図】図１
2010098690.tif 000002
【特許請求の範囲】
【請求項１】
撮影レンズと、
該撮影レンズに対して配置された絞り手段と、
該絞り手段の絞り値を制御する絞り制御手段と、
上記撮影レンズにより結像された被写体像を受けて光電変換する撮像素子と、
該撮像素子により光電変換された信号を画像データに変換する撮像部と、
上記画像データにより表される画像を表示するための、マトリクス状に配置された表示画素を備えた自発光型表示素子と、
上記絞り値が所定値以下のとき、上記画像の主要部を除く領域を表示する上記表示画素の消費電力が、通常表示の場合に比べて低くなるように制御する表示素子制御部と、
を備えたことを特徴とする自発光型表示素子を用いた表示装置。
【請求項２】
上記表示素子制御部は、上記絞り値が所定値以下のとき、上記主要部を除く領域を表示する上記表示画素の輝度が、通常表示の場合に比べて低＜なるように上記表示画素の明るさを制御することを特徴とする請求項１に記載の自発光型表示素子を用いた表示装置。
【請求項３】
上記表示素子制御部は、上記絞り値が所定値以下のとき、上記主要部を除く領域を表示する上記表示画素に対して、所定間隔おきに通電して表示するように制御することを特徴とする請求項１に記載の自発光型表示素子を用いた表示装置。
【請求項４】
上記被写体像の所定位置に焦点が合うように上記撮影レンズの焦点を調節する焦点調整手段をさらに備え、上記主要部は上記被写体像の上記所定位置を含むことを特徴とする請求項１に記載の自発光型表示素子を用いた表示装置。
【請求項５】
顔画像を認識する顔画像認識手段をさらに備え、上記主要部は上記顔画像を含むことを特徴とする請求項１に記載の自発光型表示素子を用いた表示装置。
【発明の詳細な説明】
【技術分野】
【０００１】
本発明は、有機ＥＬパネル等の自発光型表示素子を用いた表示装置に関する。
【背景技術】
【０００２】
近年、デジタルカメラや携帯電話機を含む電子機器などの表示装置として有機ＥＬパネル等の自発光型表示素子が使用されつつある。  
有機ＥＬパネル等の自発光型表示素子は、表示画素を構成する発光素子に流れる発光時の電流に応じて明るさ(輝度)が変わることを利用して画像等の情報を表示するものである。このため、自発光型表示素子を用いた表示装置においては、発光素子を発光させる電流に基づく電力消費を発生する。
【０００３】
従来、特開２００４−１９８８０９号公報に記載されているように、有機ＥＬパネルにてバッテリーの残量がなくなってくると、表示画素の密度を減らす画像処理を施し、パネル全体の消費電力を削減する制御方法がある。
【特許文献１】特開２００４−１９８８０９号公報
【発明の開示】
【発明が解決しようとする課題】
【０００４】
しかしながら、特開２００４−１９８８０９号公報の場合、パネルの消費電力を削減することはできるが画像が粗くなるため、表示品位が損なわれる。  
そこで、本発明は上記の問題に鑑み、パネルの表示品位を損なうことなく消費電力を削減することができる、自発光型表示素子を用いた表示装置を提供することを目的とするものである。
【課題を解決するための手段】
【０００５】
本発明の一態様の、自発光型表示素子を用いた表示装置は、撮影レンズと、該撮影レンズに対して配置された絞り手段と、該絞り手段の絞り値を制御する絞り制御手段と、上記撮影レンズにより結像された被写体像を受けて光電変換する撮像素子と、該撮像素子により光電変換された信号を画像データに変換する撮像部と、上記画像データにより表される画像を表示するための、マトリクス状に配置された表示画素を備えた自発光型表示素子と、上記絞り値が所定値以下のとき、上記画像の主要部を除く領域を表示する上記表示画素の消費電力が、通常表示の場合に比べて低くなるように制御する表示素子制御部と、を備えている。
【発明の効果】
【０００６】
本発明の自発光型表示素子を用いた表示装置によれば、パネルの表示品位を損なうことなく消費電力を削減することができる。
【発明を実施するための最良の形態】
【０００７】
発明の実施の形態について図面を参照して説明する。  
図１は本発明の一実施形態の自発光型表示素子を用いた表示装置が搭載される、デジタルカメラの構成例を示す図である。
【０００８】
図１に示すデジタルカメラ１は、フォーカスレンズ（図示せず）を含む撮影レンズ１１と、撮影レンズ１１に対して配置された、絞り手段としての絞り１２と、撮影レンズ１１内のフォーカスレンズを駆動するレンズ駆動部１３と、レリーズボタンの操作に基づいて開閉するシャッタ１４と、撮影レンズ１１で結像された被写体像を受けて光電変換する撮像素子としてのＣＤＤ１５と、ＣＤＤ１５により光電変換された信号を画像データに変換する撮影部としての撮像回路１６と、撮像回路１６からの画像データをデジタル信号に変換するＡ／Ｄ変換部１７と、Ａ／Ｄ変換されたデジタルの画像データに対して色バランス処理を含む各種の必要な画像処理を施す画像処理部１８と、Ａ／Ｄ変換されたデジタルの画像データを入力し、表示画像データを生成する表示画像データ生成部２３と、画像処理部１８で画像処理された画像データを含む各種のデータを一時記憶するバッファメモリ１９と、画像データにより表される画像を表示するための、マトリクス状に配置された表示画素を備えた、表示素子としての自発光型表示素子(以下、自発光素子と略記する)２８と、バッファメモリ１９に保持した画像データ、又は表示画像データ生成部２３で生成した画像データを自発光素子２８にて表示するための表示制御を行う表示素子制御部としての自発光素子制御部２０と、バッファメモリ１９に保持した画像データを圧縮又は伸長する圧縮伸長部２１と、圧縮した画像データをインタフェース(Ｉ／Ｆ)を介して記録する記録媒体２２と、メニュー画像を記憶するもので、システムコントローラ２６の制御に従ってメニュー画像が読み出されるメニュー画像記憶部２９と、パソコン等の受信機能のある電子機器へデータを送受信するための無線通信回路３０と、無線通信回路３０に接続したアンテナ３１と、システムコントローラの制御に基づいてストロボ発光を制御するストロボ制御回路２５と、ストロボ制御回路２５によって発光が制御されるストロボ４と、以上のカメラ各部に対して操作部２７からのユーザー操作指示に応じ、制御プログラムに従い各種機能を実行するための制御及びカメラ全体の制御を行うカメラ制御部としてのシステムコントローラ２６と、複数の操作キー５〜８を有する操作部２７と、撮影指示を与えるためのレリーズボタン５と、撮影モードや再生モード等の各種の動作モードを設定可能にするモードダイル６と、自発光素子２８に表示されているカーソル(カーソル枠を含む)の上下左右の各方向への移動指示やメニュー表示される項目の選択指示を与える十字キー７と、自発光素子２８に表示されている項目や画像などの確定(或いは決定若しくはＯＫ)指示を与えるための確定キー８と、を備えている。上記の撮影レンズ１１は、撮影レンズ系として絞り１２及びシャッタ１４並びにズームレンズ(図示せず)を含んでおり、上記のレリーズボタン５はシャッタ用２段階スイッチで構成されていて、レリーズボタン５の第１及び第２のレリーズ操作に対応してシャッタ用２段階スイッチによる２段階操作が可能となっている。
【０００９】
なお、システムコントローラ２６は、各種操作ボタンの入力信号や設定信号などに対応してデジタルカメラの各機能を統括的に実行制御するが、本発明に係わる機能として、絞り１２の絞り値(Ｆ値)を制御する絞り制御手段である絞り制御部２６-1と、被写体像の中の顔画像と推測される部分を検出する顔検出部２６-2と、検出した顔画像候補部分をパターン認識する顔画像認識手段としての顔認識部２６-3と、被写体像の所定位置に焦点が合うように撮影レンズ１１の焦点を調節する焦点調整手段としてのＡＦ処理部２６-4、ＣＣＤ１５の露光量を制御するＡＥ処理部２６-5等を備えている。ＡＦ処理部２６-4は画像信号に含まれる高周波成分のピーク値を検出するためのものである。システムコントローラ２６は、レンズ駆動部１３に駆動信号を出力することにより撮影レンズ１１に含まれるフォーカスレンズを駆動しながら、ＡＦ処理部２６-4にて所定のフレームレートでＣＣＤ１５から出力される画像信号の高周波成分を検出する。そして、この高周波成分がピーク値に達したところでフォーカスレンズの駆動を停止することにより所定の被写体に焦点を合わせる。さらに、システムコントローラ２６は、顔認識部２６-3やＡＦ処理部２６-4から合焦情報を得て、その合焦情報をレンズ駆動部１３へ供給している。
【００１０】
図１において、電源オン時など、シャッタ１４が開いた状態で、被写体像を撮像素子１５で逐次撮影し、その光電変換された撮影画像を画像処理部１８にて必要な画像処理を行い、画像処理後の画像データをバッファメモリ１９を介して自発光素子制御部２０により表示素子としての自発光素子２８の画面上に供給して被写体画像を表示する。これをライブビュー処理と呼んでいるが、このようなライブビュー処理の状態では、自発光素子２８がファインダの役目をしており、ユーザーがレリーズボタン５を操作することにより撮影を開始すると、シャッタ１４を閉じてから、バッファメモリ１９に記憶している画像を圧縮伸長部２１で圧縮した後、メモリカード等の記録媒体２２に記録する一方、そのときのバッファメモリ記憶画像を自発光素子制御部２０を通して自発光素子２８に表示する。また、ライブビュー処理の状態では、逐次の撮影と並行して撮影画像を表示画像データ生成部２３を用いて処理して表示画像データを生成し、自発光素子制御部２０を介してファインダー内に設置された自発光素子２８により被写体像を表示する。
【００１１】
次に図２及び図３を参照してデジタルカメラの撮影処理を説明する。図２が撮影処理の全体のフローチャートを、図３が図２のステップ１のライブビュー処理のフローチャートを示している。  
まず、図２を参照して、カメラの電源をオンすると、ライブビュー(撮影モード)になる（ステップＳ1）。このライブビュー時に省エネモードが作動する。なお、ライブビュー状態において、そのライブビュー状態がある所定時間経過した場合に、省エネモードに入るようにしてもよい。所定時間は任意に決定できるため、０秒でもよい。
【００１２】
ここで、図３を参照して、ステップＳ1のライブビュー処理を説明する。  
ライブビュー処理は、カメラ電源のオン時と、撮影後の復帰時と、第１のレリーズ操作(以下、１stレリーズと略記)をし第２のレリーズ操作(以下、２ndレリーズと略記)はキャンセルした時と、のいずれかの時に図３のシーケンスに入る。
【００１３】
現時点でのカメラの撮影レンズ１１の後段に設置されている絞り１２の絞り値(F値とも呼ばれる)を取得する。絞り量はカメラのシステムコントローラ２６によってリニアまたは段階的に制御できる。Ｆ値が小さい(即ち絞り量が小さく開口が大きい)程、被写界深度が浅くなり、焦点合わせをした被写体（主要被写体）以外の被写体のボケが大きくなる傾向にある。
【００１４】
表示画像の中でボケて見える箇所はピントが合っている箇所と比較して、情報量は低くても気にならない。自発光素子２８による表示制御においては、ピントが合っていない箇所の画像の表示量を削減することで表示品位を劣化させることなく消費電力の低減を図ることができる。
【００１５】
まず、システムコントローラ２６は、レンズ駆動部１３に駆動信号を出力して撮影レンズ１１に含まれるフォーカスレンズを駆動する（ステップＳ11）。つぎに、ＡＦ処理部２６-4によりＣＣＤ１５から逐次出力される画像信号の高周波成分を検出する（ステップＳ12）。そして、この高周波成分がピーク値に達したかどうか、すなわち合焦したか否かを判断する（ステップＳ13）。なお、合焦させる被写体領域の選択方法としては、顔認識部２６-3で認識した顔画像部、手動で指定した領域のいずれかを選択するようになっている。
【００１６】
つぎに、システムコントローラ２６によりＦ値が所定値以下か否かが判定される（ステップＳ14）。Ｆ値が所定値よりも小さい場合は、ステップＳ15で、システムコントローラ２６により合焦ポイントから一定範囲の領域外を省エネ対象領域とし、省エネ処理が行われる。つまり、省エネ領域が設定される。なお、顔認識ＡＦの場合は、顔認識した箇所から―定範囲の領域外を省エネ対象領域とし、省エネ処理を行うことは言うまでもない。  
システムコントローラ２６により省エネ対象領域が決定された後は、ステップＳ16にてその省エネ対象領域に対して、省エネ制御を実施する。
【００１７】
ステップＳ14でＦ値が所定値より大きい場合と判断された場合は、省エネ制御は行わない。これは、Ｆ値が大きくなる(即ち絞り量が大きく開口が小さい)と、被写体像の全体で焦点が合っている範囲が広く(被写界深度が深く)、ボケて見える箇所がないため、削減すべき画素も生じないからである。  
ステップＳ16で行う省エネ制御としては、表示装置―面に配列されている画素を、所定間隔おきに(例えば１つ飛ばしで)点灯表示させ、一抹模様のようにする。または、省エネ対象領域の情報データ量を低下させる(合焦時のＦ値に適した量だけ削減、例えばＦ値が小さくなるほどデータ量を削除する)。具体的には、省エネ対象領域の点灯画素を減少するほかに、省エネ対象領域の輝度を低減する。なお、省エネ対象領域のデータを０としてもよい。  
つぎに、自発光素子２８により撮影画像が表示される（ステップＳ17）。
【００１８】
以上、図３のフローチャートで説明したライブビュー処理を経て、再び図２のフローチャートに戻り撮像を開始する（ステップＳ2）。  
撮影者によりシャッタ用２段階スイッチが１段階分まで押されたか否かが，システムコントローラ２６により判断される(1stレリーズ)（ステップＳ3）。1stレリーズでは、レリーズボタン５を半押し状態とし、ピントを被写体に合わせる。これにより、カメラが撮影する処理に入るため、システムコントローラ２６により省エネモードが解除される（ステップＳ4）。
【００１９】
つぎに、ＡＦ処理部２６-4、レンズ駆動部１３により撮影レンズ１１のフォーカスレンズを駆動して既述のとおりの焦点合わせを行う（ステップＳ5）。  
つぎに、ＡＥ処理部２６-5にて露光量を制御するためにシャッタ速度や絞り値を演算する。（ステップＳ6）。
【００２０】
つぎに、撮影者によりシャッタ用２段階スイッチが２段階目まで押しこまれたか否かがシステムコントローラ２６により判断される(2ndレリーズ)（ステップＳ7）。つぎに、システムコントローラ２６により、シャッタ１４と絞り１２が制御され撮影が行われる（ステップＳ8）。  
もし、ステップＳ7で２段階目まで押し込まれず、lstレリーズが一定時間以上保持されたままの場合や、レリーズボタン５から撮影者の手が離された場合は、ステップＳ1のライブビューの動作に戻る。  
ステップＳ9にて撮影された画像データはカメラ内部または外部記憶装置に記録される（ステップＳ9）。
【００２１】
なお、F値の検出条件であるＦ値が所定値以下か否かについては、現在のレンズのF値(絞り)を検出することによって判定する。システムコントローラ２６に設定している所定値(基準のF値)と比較してF値がそれより小さい場合は省エネ制御を行う。
【００２２】
省エネ領域設定については、合焦ポイントを中心にした所定範囲外の領域とするほか、主となる被写体（顔認識）の範囲外の領域とする。  
省エネ制御の方法については、画像を間引く制御を行うか、画像の明るさを制御する。画像を間引く制御の場合は、対象領域のデータを等間隔で間引く。データ量を減らすかデータ量をOにする。等間隔に間引く場合は、例えば一抹模様の間隔でデータを表示する。
【００２３】
画像の明るさを制御する場合には、対象領域の画像データ値を所定量下げて暗<する。所定量はF値によって変化する。或いは、対象領域の画像データ値を０にして、真っ暗にする。
【００２４】
また、本実施形態においては焦点合わせのための制御として、撮影レンズ１１を駆動しながらＣＣＤ１５から逐次出力される画像信号のピーク値を検出するようにしたが、これに限らず、三角測距の原理に基づいて焦点合わせを行ってもよい。
【００２５】
本発明の実施形態によれば、ライブビュー処理の状態で、絞り値が所定値以下であれば、省エネモードに入り、表示品位に影響のない領域の発光素子に対して省エネを実行することができる。絞り値が所定値以下であれば、ピント合わせをしているような主要部を除く領域では、ボケているので表示画素を一定間隔おきに非点灯としても表示品位に影響を及ぼさない。また、絞り値が所定値以下であれば、絞りが開いており、表示画像全体が明るいので、主要部を除く領域で、表示画素を一定間隔おきに非点灯としても表示品位に影響を及ぼさない。結果として、表示パネルの表示品位を損なうことなく消費電力を削減することができる。
【産業上の利用可能性】
【００２６】
本発明は、デジタルカメラに搭載した自発光素子を用いた表示装置に限らず、携帯電話機などのカメラ付きモバイル電子機器に搭載した自発光素子を用いた表示装置に広く適用することが可能である。
【図面の簡単な説明】
【００２７】
【図１】本発明の一実施形態の自発光型表示素子を用いた表示装置が搭載される、デジタルカメラの構成例を示す図。
【図２】図１における撮影処理の全体のフローチャート。
【図３】図２のステップ１のライブビュー処理のフローチャート。
【符号の説明】
【００２８】
１…自発光型表示素子を用いた表示装置
１１…撮影レンズ
１２…絞り(絞り手段)
１５…ＣＣＤ(撮像素子)
１６…撮像回路(撮像部)
２０…表示素子制御部
２６-1…絞り制御部(絞り制御手段)
２６-3…顔認識部(顔画像認識手段)
２６-4…ＡＦ処理部(焦点調整手段)
２６-5…ＡＥ処理部
２８…自発光型表示素子
【図１】
2010098690.tif 000003
【図２】
2010098690.tif 000004
【図３】
2010098690.tif 000005